(57)【特許請求の範囲】
【請求項１】
複数本の糸条を合せたプレーティング編により編成し、前身面のバストに対応して伸び易い粗い組織のカップ部を設け、カップ部の下縁は前身中央側から両サイドに向って幅を徐々に広げたフロート編組織の下支え部とし、この下支え部と、前身面中央に設けたタック編組織の縦行き部とから成るバスト保持部を設け、前記縦行き部を前身面の下部に設けたパワーの高い密な組織のバスト引上部に接続させ、前記カップ部からバスト引上部に至る部分を筒形編地により連続編成したトップ下着。
【発明の詳細な説明】
【０００１】
【産業上の利用分野】
この発明は、ブラジャ、スリップ、ランジェリ、シャツ等のトップ下着に関する。
【０００２】
【従来の技術】
従来、例えばブラジャとしては、図５に示すように、３枚の略三角形状の低伸縮性メッシュ布２１、２２、２３を縫合線２４で接合して一対の円錐形状カップ２５を作成したものが知られている。
【０００３】
また、布地にプレス型付加工を施してほぼ円錐形状のカップを形成したものもある。
【０００４】
【発明の課題】
ところが、この種の従来のトップ下着においては、バスト部の高さや周長等バスト部の形状が固定しておりかつバスト部の伸縮性が少ないため、各人まちまちな形をしたバストに一様にフィットしにくい欠点がある。
【０００５】
さらに製造の際、種々の形状の多くの裁ち布と部品とを必要とし、縫製作業もかなり複雑であって手間がかかりコスト高になる等の欠点がある。
【０００６】
また、プレス型付加工を施したものでは、洗濯等で型が崩れ易く耐久性が劣る欠点がある。
【０００７】
この発明は、従来品の有するこのような問題点に鑑みてなされたものであり、その課題は、メリヤス地の編立段階において、編組織からなり伸縮性のある凸面をバスト部に形成したものであって、着用時に各人まちまちな形をしたバストに一様にフィットして着心地が良くかつ整形効果が高く、部品数が少なくて縫製作業が大幅に簡略化され、さらに型崩れしにくいトップ下着を提供することである。
【０００８】
【課題の解決手段】
上記の課題を解決するため、この発明のトップ下着は、複数本の糸条を合せたプレーティング編により編成し、前身面のバストに対応して伸び易い粗い組織のカップ部を設け、このカップ部の下縁は前身面中央側から両サイドに向って幅を徐々に広げたフロート編組織の下支え部とし、この下支え部と、前身面中央に設けたタック編組織の縦行き部とから成るバスト保持部を設け、前記縦行き部を前身面の下部に設けたパワーの高い密な組織のバスト引上部に接続させ、前記カップ部からバスト引上部に至る部分を筒形編地により連続編成したのである。
【０００９】
【作用】
前記バスト引上部は、密な組織より成るため、バストの下部を締め付けながら引上げ、カップ部の下縁のフロート編組織と前身面中央のタック編組織より成るバスト保持部の保持力を助長してバストを押し上げ、それによって膨らんだバストを粗い組織のカップ部が包み込んでフィットするようにカップ部が膨出するようにしてあるため、引き上げられたバストの整形効果が高まる。
【００１０】
【実施例】
以下、この発明の実施例を図１乃至図４に基づいて説明する。
【００１１】
図１に示すように、この発明のトップ下着は、複数本の所要の糸条を合せたプレーティング編からなる前身１、後身２と釣りバンド３からなり、前身面の下部には、バスト引上部４が設けられ、このバスト引上部４の上部には、カップ部５が設けられ、カップ部５の下縁と前身中央には、それぞれ下縁に沿った下支え部６ａとストレートな縦行き部６ｂとから成るバスト保持部６が設けられ、カップ部５の上縁には、縁取り７が設けられている。前記縦行き部６ｂの上端をこの縁取り７に接続させ、下端をバスト引上部４に接続させておく。
【００１２】
前記トップ下着は、図２に示すように、従来公知の柄出装置付き成型用丸編機を用いて編成した筒形編地８を裁断線９に沿って裁断した後縫製したものである。
【００１３】
この筒形編地８は、図３に示すように、編地表面に出る滑らかなナイロン等の合成繊維糸の表糸１１と、編地に伸縮弾性を付与するポリウレタン等の弾性糸の中間糸１２と、裏面に出て肌に接する綿糸等の裏糸１３との３本の糸条を引揃えてニードル１４に供給するプレーティング編からなる。なお、前身、後身などの部位に対応して、例えば２本にする等、引揃える糸条の本数及び編糸の種類を適宜選択することができる。
【００１４】
そして筒形編地８は、バスト引上部４とバスト保持部６を有する前身１を形成する前身編部Ａと、後身２を形成する後身編部Ｂが連らなる編地であり、前身１のバストに対応するカップ部５は、編目の長さを長くし編密度を粗くしてわん状に膨らみをもたせ、伸びやすくした平編地に編成されており、バストを包み込むようにして、バストによくフィットするようにしてある。
【００１５】
バスト保持部６の下支え部６ａは、図４に示すように１種類の編糸１６が１目毎にループを形成せず横に渡った状態となり、これに交差する他の糸が押し上げられて浮き出て見える所謂フロート目１７が配置されたフロート編地に編成されている。編糸１６は伸びが少ない合成繊維糸を用いるのが好ましい。このフロート編組織は、編地が厚手になると共にフロート目の中に横方向の比較的長い緊張状糸条が存在しているため、縦横方向の伸びを抑制して引張応力を増加することができる。縦行き部６ｂはタック編みにしてあり、バストの引き締めと引上げ効果を生じる。
【００１６】
なお、このバスト保持部６の下支え部６ａは、上述のように、コース方向に１目針抜きの１×１フロートのほか、１×２フロート、２×２フロート等フロート編の組織を適宜選択することができ、所望する引張応力を得るため太い弾性糸を用いる等編糸の太さ、本数を適宜選択することができる。
【００１７】
前身１の下方に設けられたバスト引上部４は、フロート編やタック編等で密に編成するか太い弾性糸を用いてパワーを高め、バストの下部を支えながら前記バスト保持部６による保持力をバスト持上力として効果的に作用させている。
【００１８】
このバスト引上部４と、バスト保持部の下支え部６ａは、図のように前身中央側から両サイドに向かって幅を徐々に広げておくと脇が良く締まって好ましい。
【００１９】
この発明は、上述のようなブラジャのほか、スリップ、ランジェリ、シャツなどのトップ即ち胸部に着用する各種下着に適用される。
【００２０】
【効果】
この発明によれば、以上のように、前身面に設けたバスト引上部は、引張応力を高めた編成地より成るため、バストを下方から支えながら持上げ、カップ部の下縁に設けたフロート編組織のバスト保持部がバストを押し上げるのを助長し、それによって膨らんだバストを伸縮し易い粗い組織のカップ部で包み込んで大きな整形効果を挙げることができる。
【００２１】
またプレーティング編であるため、各部位の編糸の種類と本数の変更が容易であり、一ピースでトップ下着を形成することができる。
【図面の簡単な説明】
【図１】この発明のブラジャの一例を示す正面図
【図２】同上を形成するための筒形編地を示す裁断説明用斜視図
【図３】この発明によるプレーティング編成時の引揃え糸条を示す斜視図
【図４】この発明によるバスト引上部の編組織図
【図５】従来のブラジャを示す斜視図
【符号の説明】
１  前身
２  後身
３  釣りバンド
４  バスト引上部
５  カップ部
６  バスト保持部
７  縁取り
８  筒形編地
９  裁断線
１１  表糸
１２  中間糸
１３  裏糸
１４  ニードル
１６  編糸
１７  フロート目
Ａ  前身編部
Ｂ  後身編部
【図１】
0003725909.tif 000002
【図２】
0003725909.tif 000003
【図３】
0003725909.tif 000004
【図４】
0003725909.tif 000005
【図５】
0003725909.tif 000006